(57)【特許請求の範囲】
【請求項１】
シートの表面に当接する押罫部(10)には、罫線の長さ方向に延びる４本以上の凸条(11)が設けられ、各凸条(11)の頂部が全体として山形状をなすように配置され、そのうち１本の凸条(11)が前記押罫部(10)の頂部をなすように配置され、隣り合う凸条(11)の間に凹溝(12)が設けられ、各凹溝(12)の底部がその両側の凸条(11)よりもシートの押圧方向に窪んだ形状となっており、その押罫部(10)でシートを押し込んで、シートに折曲用の罫線を入れる押罫部材において、
前記押罫部(10)の頂部をなす１本の凸条(11)を挟んで他の凸条(11)が前記押罫部(10)の幅方向の一側部分に少なくとも１本設けられ、他側部分に前記一側部分とは異なる本数設けられていることを特徴とする押罫部材。
【請求項２】
前記押罫部(10)は、その頂部をなす凸条(11)の両側に、これに交差する方向に延びる複数の交差溝(13)が長さ方向に間隔をあけて設けられ、この交差溝(13)により、前記押罫部(10)の頂部をなす凸条(11)の両側に位置する凸条(11)が分断された形状となっていることを特徴とする請求項１に記載の押罫部材。
【請求項３】
請求項１又は２に記載の押罫部材において、フォルダグルアに装備される罫入ロール用として、その罫入ロールの外周部分に前記押罫部(10)が形成されていることを特徴とする押罫部材。
【請求項４】
請求項１又は２に記載の押罫部材において、ダイカッタに装着される抜型用として、その抜型の基板部材に固設される金属製の帯板(14)の端縁部に前記押罫部(10)が形成されていることを特徴とする押罫部材。
【請求項５】
請求項４に記載の押罫部材において、前記帯板(14)は、ロータリーダイカッタに装着される抜型の湾曲した基板部材の形状に対応して、側面視で円弧状に湾曲していることを特徴とする押罫部材。
【発明の詳細な説明】
【技術分野】
【０００１】
この発明は、段ボールや板紙等のシートに折り曲げるための罫線を入れる押罫部材に関するものである。
【背景技術】
【０００２】
一般に、段ボールシートからＡ式と呼ばれる溝切り型の段ボール箱を製造するフォルダグルアは、図１１に示すように、給紙部５０、スロッタクリーザ部５１、フォールディング部５２及びカウンタエゼクタ部５９が段ボールシートＳの搬送方向に順次配置された構成とされている（下記特許文献１の図２参照）。
【０００３】
スロッタクリーザ部５１は、罫入ユニット５３及び溝切ユニット５４が段ボールシートＳの搬送方向に順次配置されたものであり、罫入ユニット５３には、罫入ロール５３ａと受ロール５３ｂとが互いに逆回転するように下方と上方に対向して配置され、溝切ユニット５４には、ロール状の上刃ヘッド５４ａと下刃ヘッド５４ｂとが互いに逆回転するように上方と下方に対向して配置されている。
【０００４】
スロッタクリーザ部５１では、段ボールシートＳが図１２に示す形状に加工され、その工程において、段ボールシートＳは、段目ｍに直交する方向に延びる２本の横罫線ａ１，ａ２のみが入れられた状態で、給紙部５０から罫入ユニット５３へ供給される。そして、段ボールシートＳは、罫入ロール５３ａと受ロール５３ｂとで挟まれて送られ、段目ｍに沿った方向に延びる第１縦罫線ｂ１〜第４縦罫線ｂ４が入れられた後、溝切ユニット５４の上刃ヘッド５４ａと下刃ヘッド５４ｂとで挟まれて送られ、第２縦罫線ｂ２〜第４縦罫線ｂ４の延長線に沿った前後に一対のスロットｃが形成されると共に、一端に継代ｄが形成されたものとなる（下記特許文献１の図１１参照）。
【０００５】
このように加工された段ボールシートＳは、フォールディング部５２へ搬送される。フォールディング部５２では、図１３に示すように、段ボールシートＳが対向配置されて搬送方向に延びているガイドレール５５と搬送ベルト５６に挟まれた状態で移動しつつ、図示省略した糊付ロールにより継代ｄに糊が塗布され、その後、段ボールシートＳは折畳バー５７に沿って移動し、段ボールシートＳの下面に形成されている第２縦罫線ｂ２と第４縦罫線ｂ４を軸にその両端側が下方へ折り曲げられることに伴い、段ボールシートＳは折り畳まれ、搬送ベルト５６と折畳ベルト５８とで挟まれて折り畳みが進行し、段ボールシートＳの一端側の継代ｄが他端側の貼付面に強く押し付けられ、強固に接着されて、段ボールシートＳは折畳状態の段ボール箱Ｂとなる（下記特許文献１の図３参照）。
【０００６】
ところで、上記のようなフォルダグルアにおいて、段ボールシートＳから折畳状態の段ボール箱Ｂを製造する際には、図１４（Ａ）に示すように、段ボールシートＳが第２縦罫線ｂ２と第４縦罫線ｂ４の中心線に沿って正確に折り曲げられ、継代ｄでの接合部において隣り合うフラップ間に前後で同一の所定寸法のギャップＧ０が形成されなければ、段ボール箱Ｂが使用時に所定の直方体に組み立てられない不良品となる恐れがある。
【０００７】
例えば、図１４（Ｂ）に示すように、第２縦罫線ｂ２及び第４縦罫線ｂ４における折れ曲がりが斜めになった場合には、段ボールシートＳの搬送方向の前後で形成されるギャップＧ１，Ｇ２が異なる寸法となり、組み立てに支障が生じる恐れがある。また、段ボールシートＳが第２縦罫線ｂ２と第４縦罫線ｂ４の中心線からずれた位置で折れ曲がった場合には、図１４（Ｃ）に示すように、正常値より狭いギャップＧ３が形成されたり、図１４（Ｄ）に示すように、正常値より広いギャップＧ４が形成されたりして、組み立てに支障が生じる恐れがある。さらに、図１４（Ｅ）に示すように、正常なギャップＧ０が形成されていても、第２縦罫線ｂ２と第４縦罫線ｂ４の折曲位置が共に中心線からずれていた場合、やはり組み立てに支障が生じる恐れがある。（下記特許文献１の図１２参照）。
【０００８】
このように折曲位置が罫線の中心線からずれる現象は、例えば、図１５(Ａ)に示すように、段ボールシートＳを罫線ｂの左側部分Ｌが罫線ｂの近傍まで固定された状態で、図１５（Ｂ）に示すように、罫線ｂの右側部分を揺動させて折り曲げた場合、罫線ｂの左側部分Ｌでは折り曲げの内側と外側のずれが許容されず、折り曲げの内側で、罫線ｂの右側部分Ｒが左側部分Ｌを押し潰しつつ折れ曲がり、図１５（Ｃ）に示すように、折り曲げの外側で、右側部分Ｒが左側部分Ｌに対して引き伸ばされるような作用を受けるために生じるのではないかと推測される。
【０００９】
そして、図１３に示すように、上記フォルダグルアのフォールディング部５２では、段ボールシートＳをガイドレール５５と搬送ベルト５６とで挟み込んで、第２縦罫線ｂ２と第４縦罫線ｂ４の一側がそれぞれ固定された状態で折り曲げるため、折曲位置が固定側へ偏りやすいのではないかと考えられる。
【００１０】
また、図１５（Ａ）に示すような段ボールシートＳを、罫線ｂの左側部分Ｌと右側部分Ｒを共に揺動させて折り曲げた場合でも、その折曲速度や強さが異なっていると、段ボールシートＳが罫線ｂを中心軸として左右対称に折れ曲がらないという不都合が生じやすく、特に、段ボールシートＳには、その構成部材である波状に段形成された中しん紙が２層構造や３層構造をなす複雑な多層構造となっている比較的厚いものが存在し、そのような段ボールシートＳを折り曲げる場合、上記のような不都合が顕著に生じやすい。
【００１１】
その対策として、図１６（Ａ）に示すように、罫入ロール５３ａと受ロール５３ｂとが対向するように設けられた罫入ユニット５３において、罫入ロール５３ａの外周をなす押罫部６０に、その幅方向の中間に位置する環状突部６１の一側に押圧面６２を、他側に逃げ面６３をそれぞれ形成し、押圧面６２は、環状突部６１側から一側端側へ向けて小径となる緩い勾配のテーパー面から成り、逃げ面６３は、環状突部６１側から他側端側へ向けて小径となる急な勾配のテーパー面から成るものとし、これにより段ボールシートＳを押圧した場合について考察する（下記特許文献２の図５参照）。
【００１２】
上記のような罫入ロール５３ａを使用して、段ボールシートＳに罫線ｂを入れると、罫線ｂには、環状突部６１で押し潰されて深い溝部ｅ１が形成されると共に、溝部ｅ１の一側に押圧面６２により押圧された幅が広く勾配が緩い斜面部ｅ２が形成され、溝部ｅ１の他側に逃げ面６３で押圧されることなく幅の狭い勾配が急な斜面部ｅ３が形成される。このため、図１６（Ｂ）に示すように、段ボールシートＳを罫線ｂを軸として折り曲げる場合、幅の狭い斜面部ｅ３側の部分を罫線ｂの近傍まで固定して折り曲げても、斜面部ｅ２の存在により、折曲部分の内側同士の押し合いが回避され、折り曲げの外側が引き伸ばされる作用が抑制されるのではないかと考えられる。
【先行技術文献】
【特許文献】
【００１３】
【特許文献１】特許第４７７４３５０号公報
【特許文献２】特開２００１−１１３６１３号公報
【発明の概要】
【発明が解決しようとする課題】
【００１４】
しかしながら、上記のような押罫部６０を有する罫入ロール５３ａを使用して入れた罫線ｂでは、溝部ｅ１を挟んだ一側の斜面部ｅ２と他側の斜面部ｅ３の幅及び傾斜の差が大きくなり、押込部分の全体の幅も広くなるため、図１６（Ｂ）に示すような方法で折り曲げた場合、想定通りに段ボールシートＳが正確に折れ曲がらない可能性がある。
【００１５】
そこで、この発明は、シートを罫線の一側が固定された状態で折り曲げても、正確な位置で折れ曲がる罫入れ加工が可能な押罫部材を提供することを課題とする。
【課題を解決するための手段】
【００１６】
上記課題を解決するため、この発明は、シートの表面に当接する押罫部を有し、その押罫部でシートを押し込んで、シートに折曲用の罫線を入れる押罫部材において、
前記押罫部には、罫線の長さ方向に延びる４本以上の凸条が設けられ、各凸条の頂部が全体として山形状をなすように配置され、そのうち１本の凸条が前記押罫部の頂部をなすように配置され、この凸条を挟んで他の凸条が前記押罫部の幅方向の両側部分に異なる本数となるようにそれぞれ配置されているものとしたのである。
【００１７】
また、前記押罫部は、隣り合う凸条の間に凹溝が設けられ、各凹溝の底部がその両側の凸条よりもシートの押圧方向に窪んだものとしたのである。
【００１８】
また、前記押罫部は、その頂部をなす凸条の両側に、これに交差する方向に延びる複数の交差溝が長さ方向に間隔をあけて設けられ、この交差溝により、前記押罫部の頂部をなす凸条の両側に位置する凸条が分断されたものとしたのである。
【００１９】
そして、このような押罫部材は、フォルダグルアの罫入ユニットに装備される罫入ロールを構成する部材として、その罫入ロールの外周部分に前記押罫部が形成されているものとしたのである。
【００２０】
或いは、ダイカッタに装着される抜型用として、その抜型の基板部材に固設される金属製の帯板の端縁部に前記押罫部が形成されているものとしたのである。
【００２１】
また、前記帯板は、ロータリーダイカッタに装着される抜型の湾曲した基板部材の形状に対応して、側面視で円弧状に湾曲しているものとしたのである。
【発明の効果】
【００２２】
この発明に係る押罫部材では、押罫部の頂部をなす凸条に対して、その両側の凸条が異なる本数となるように配置されているので、この押罫部材の押罫部で押圧してシートに入れた罫線は、凸条の本数の多い側に多数本の溝が形成され、凸条の本数の少ない側に少数本の溝が形成されたものとなる。
【００２３】
従って、シートの溝の本数が少ない一側部を固定し、溝の本数が多い他側部を揺動させて、シートを罫線に沿って折り曲げる場合、罫線は固定された一側部側よりも揺動させる他側部側で弱められたものとなり、これによって、折曲部分の内側同士の強い押し合いが回避され、折曲部分の外側が引き伸ばされる作用が抑制されて、折曲位置の偏りが生じにくくなり、押罫部の頂部をなす凸条で形成された罫線の溝を軸としてシートを正確に折り曲げることができる。
【００２４】
また、シートの罫線を挟んだ両側部を異なる折曲速度や強さで揺動させて折り曲げる場合、シートの折曲速度や強さが比較的大きい一側部の溝の本数をより多くして、シートの一側部で罫線を弱めておけば、上記と同様に折曲部分の内側同士の強い押し合いが回避され、折曲部分の外側が引き伸ばされる作用が抑制されて、折曲位置の偏りが生じにくくなり、押罫部の頂部をなす凸条で形成された罫線の溝を軸としてシートを正確に折り曲げることができる。
【００２５】
さらに、特にシートが段ボールシートであって、波状に段形成された中しん紙が２層構造や３層構造をなす複雑な多層構造となっている比較的厚いものである場合でも、この発明に係る押罫部材により罫線を入れると、押罫部の頂部をなす凸条で形成された溝を軸として、そのような段ボールシートを正確に折り曲げることができる。
【図面の簡単な説明】
【００２６】
【図１】この発明の実施形態に係る押罫部材を罫入ロールに備えたフォルダグルアの罫入ユニットを示す（Ａ）正面図、（Ｂ）側面図
【図２】同上の（Ａ）押罫部材を備えた罫入ロールの部分斜視図、（Ｂ）押罫部材の部分拡大断面図
【図３】同上の押罫部材による罫入れ加工の状態を示す部分拡大断面図
【図４】同上の押罫部材により入れた罫線を軸とするシート折曲過程の（Ａ）初期状態、（Ｂ）中間状態、（Ｃ）折重状態をそれぞれ示す部分拡大断面図
【図５】同上の押罫部材の押罫部において両側の凸条のピッチが異なる実施形態を示す部分拡大断面図
【図６】参考例として押罫部材の押罫部において各凸条が角張っている形態を示す部分拡大断面図
【図７】この発明の実施形態に係る平盤ダイカッタに装着される抜型用の押罫部材を示す（Ａ）部分斜視図、（Ｂ）部分拡大断面図
【図８】ロータリーダイカッタの罫入ユニットを示す部分概略正面図
【図９】ロータリーダイカッタに装着される抜型用の押罫部材についての実施形態を示す（Ａ）部分斜視図、（Ｂ）部分拡大断面図
【図１０】フォルダグルアの罫入ロールに装着される押罫部材についての実施形態であって交差溝を有するものを示す部分斜視図
【図１１】特許文献１の記載に準じたフォルダグルアの全体概略を示す正面図
【図１２】同上のスロッタクリーザ部で加工された段ボールシートを示す図
【図１３】同上のフォールディング部における加工過程を示す斜視図
【図１４】同上のフォールディング部で加工された段ボール箱であって（Ａ）正常な折曲状態の良品、（Ｂ）〜（Ｅ）異常な折曲状態の不良品をそれぞれ示す図
【図１５】従来の押罫部材で入れられた罫線を軸とするシート折曲過程の（Ａ）初期状態、（Ｂ）中間状態、（Ｃ）折重状態をそれぞれ示す部分拡大断面図
【図１６】特許文献２に記載の罫入ロールによる（Ａ）罫入れ加工状態を示す部分拡大側面図、（Ｂ）罫入れ加工後の段ボールシートの折り曲げを示す部分拡大断面図
【発明を実施するための形態】
【００２７】
以下、この発明の実施形態を添付図面に基づいて説明する。
【００２８】
図１（Ａ）及び（Ｂ）に示す罫入ユニット５３は、図１１に示すフォルダグルアのスロッタクリーザ部５１の一部分をなすものであり、下方と上方に対向して互いに逆回転する回転軸１，２を有し、下方の回転軸１に罫入ロール５３ａを取り付け、上方の回転軸２に受ロール５３ｂを取り付けた構成とされている。
【００２９】
罫入ロール５３ａは、下方の回転軸１と共回りするロール基体３により、幅寸法を７ｍｍ以下程度とする押罫部材Ｐが保持されたものであり、押罫部材Ｐが本願発明の対象物となるものである。
【００３０】
なお、図示のものでは、円板状の押罫部材Ｐを別体の一対のロール基体３で左右から挟持して回転軸１に取り付けているが、押罫部材Ｐとロール基体３とを一体に形成して回転軸１に取り付けてもよい。
【００３１】
また、受ロール５３ｂは、上方の回転軸２と共回りするロール基体４の外周に、押罫部材Ｐの押圧力を受け止めるウレタンゴム等の弾性体５を取り付けたものである。
【００３２】
上記罫入ロール５３ａの押罫部材Ｐにおいて、外周の全周に及んで形成された押罫部１０には、図２（Ａ）及び（Ｂ）に示すように、周方向に延びる４本以上（図示のものでは５本）の凸条１１が設けられている。
【００３３】
これらの凸条１１のうち、１本の凸条１１は、押罫部１０の幅方向の中央に配置され、他の凸条１１は、この中央に配置された凸条１１を挟んで押罫部１０の幅方向の両側部分に非対称で異なる本数となるように（図示のものでは右側に３本、左側に１本）それぞれ配置されている。各凸条１１は、頂部が丸みを有するように面取りされた形状とされ、等しいピッチで並んでいる。
【００３４】
そして、各凸条１１は、押罫部１０の幅方向の中心線上の一点を中心として放射状に、この一点から同程度の寸法突出し、各凸条１１の頂部が全体として真円からなる仮想曲線に接して、押罫部１０の幅方向の中央に配置された凸条１１の頂部が押罫部１０の頂部となる山形状をなすように配置されている。また、各凸条１１間に形成された凹溝１２は、その一対の側面によって底部が両側の凸条１１より段ボールシートＳを押圧する方向である径方向に滑らかに窪む形状とされている。
【００３５】
なお、上記仮想曲線は、真円に限らず、押罫部１０の幅方向の中央を挟んで左右対称となる弧状であれば、楕円状、放物線状等であってもよく、この場合には、各凸条１１の頂部は全体として山形状をなすが、押罫部１０の幅方向における中心線上の一点からの距離が異なるものとなる。また、全ての凸条１１の頂部が仮想曲線に接している必要はなく、押罫部１０の幅方向の中央に配置された凸条１１の頂部のみを仮想曲線から突出させてもよい。さらに、各凸条１１を押罫部１０の幅方向における中心線上の一点を中心として放射状に突出させるのではなく、中心線に平行に突出させてもよい。
【００３６】
このような押罫部材Ｐを使用して、図３に示すように、段ボールシートＳに罫線ｂを入れると、押罫部材Ｐは、押罫部１０の幅方向の中央に位置する凸条１１の頂部からその両側の凹溝１２及び凸条１１にかけて段ボールシートＳに順次当接し、段ボールシートＳが押罫部１０の幅方向にずれ動くことなく、段ボールシートＳに各凸条１１で押し込まれた溝ｇが形成され、押し退けられた溝ｇに隣接する段ボールシートＳの部分が凹溝１２に入り込んでリブ状の部分が形成される。
【００３７】
これにより、図３に示す例では、段ボールシートＳに罫線ｂの溝ｇが幅方向の中央に１本、その右側に３本、左側に１本形成される。
【００３８】
この際、押罫部１０の頂部をなす凸条１１から、その左右に位置してそれぞれ中央の凸条１１から順次離れる各凸条１１の頂部によって、段ボールシートＳが順次押し潰されていくので、段ボールシートＳは、押罫部１０の頂部をなす凸条１１によって最も強く押し潰され、これにより形成された溝ｇの部分が最も弱くなる。このため、段ボールシートＳは、この溝ｇの部分を基点として折れ曲がりやすくなっている。
【００３９】
このような段ボールシートＳをフォルダグルアで折り曲げて段ボール箱を製造する際には、図４(Ａ)及び（Ｂ）に示すように、溝ｇの本数が少ない左側部分Ｌを罫線ｂの近傍まで固定して折り曲げると、溝ｇの本数が多い右側部分Ｒが少ない左側部分Ｌよりも、多数本の凸条１１の頂部で弱められているので、折曲部分の内側同士の強い押し合いが回避され、段ボールシートＳの折曲部分の外側が引き伸ばされる作用が抑制される。
【００４０】
このため、折曲位置の偏りが生じにくくなり、図４(Ｃ)に示すように、段ボールシートＳを、罫線ｂの幅方向の中央の溝ｇを軸として正確に折り曲げることができ、精度の良い段ボール箱を製造することができる。
【００４１】
なお、上記実施形態では、押罫部１０に各凸条１１が等しいピッチで並んでいるものを例示したが、図５に示すように、押罫部１０の幅方向中央に対して一側の凸条１１のピッチを小さくし、他側の凸条１１のピッチを大きくすることにより、押罫部１０の両側の凸条１１が非対称で異なる本数となるように（図示のものでは右側に４本、左側に２本）配置してもよい。
【００４２】
また、この発明の範囲外であるが、図６に参考例として、押罫部１０における各凸条１１を、それぞれ角張った形状とし、階段状に形成したものを示す。
【００４３】
上記実施形態の押罫部材Ｐでは、段ボールシートＳの種類や性状に応じて、押罫部１０における凸条１１の形状や本数及び各凸条１１間のピッチを適宜設定すればよい。また、段ボールシートＳが罫線ｂの中央で折れにくいという現象があまり生じない場合には、押罫部１０の幅方向の中央に位置する凸条１１に対し、両側の凸条の形状や本数にあまり差をつけない方が好ましい。
【００４４】
さらに、段ボールシートＳの種類や性状によっては、押罫部１０の頂部をなす凸条１１を、押罫部１０の幅方向の中央から少しずれた辺りの位置に設けてもよい。この場合、押罫部１０の頂部をなす凸条１１を挟んで、その両側部分に非対称で異なる本数となるように他の凸条１１を配置し、各凸条１１が全体として山形状をなすように配置すればよく、各凸条１１の頂部が接する仮想曲線は、押罫部１０の頂部をなす凸条１１が接する部分を境にして左右非対称の楕円や放物線状をなすものとすればよい。
【００４５】
上記各実施形態の押罫部材Ｐでは、上述のように、段ボールシートＳの罫線ｂを挟んだ一側部を固定し、他側部を揺動させて、段ボールシートＳを罫線ｂに沿って折り曲げる場合のほか、段ボールシートＳの罫線ｂを挟んだ両側部を異なる折曲速度や強さで揺動させて折り曲げる場合、段ボールシートＳの折曲速度や強さが比較的大きい一側部の溝ｇの本数をより多くして、段ボールシートＳの一側部で罫線を弱めておけば、上記と同様に折曲部分の内側同士の強い押し合いが回避され、折曲部分の外側が引き伸ばされる作用が抑制されて、折曲位置の偏りが生じにくくなり、押罫部１０の頂部をなす凸条１１で形成された罫線ｂの溝ｇを軸として段ボールシートＳを正確に折り曲げることができる。
【００４６】
さらに、段ボールシートＳとして、波状に段形成された中しん紙が２層構造や３層構造をなす複雑な多層構造となっている比較的厚いものを折り曲げる場合でも、上記のような押罫部材Ｐにより罫線ｂを入れると、押罫部１０の頂部をなす凸条１１で形成された罫線ｂの溝ｇを軸として段ボールシートＳを正確に折り曲げることができる。
【００４７】
ところで、上記実施形態では、押罫部材Ｐとして、フォルダグルアに装備される罫入ロール用のものを例示したが、Ａ式の段ボール箱以外のものを製造する場合、図７に示すように、押罫部材Ｐは、平盤ダイカッタに装着される抜型用としてもよい。この押罫部材Ｐは、木製の平坦な基板部材に固設される高さが一定の金属製の帯板１４を材料とし、帯板１４の長さ方向に延びる一方の端縁部（図示の向きでは上方の端縁部）に、上記のような押罫部１０を形成したものとされている。
【００４８】
また、図８に示すように、押罫部材Ｐは、ロータリーダイカッタに装着される抜型用としてもよい。ここで、ロータリーダイカッタは、アンビルロール２０に対向配置されたダイロール２１の外周に抜型２２を装着し、抜型２２の湾曲した木製の基板部材２３に切刃２４と押罫部材Ｐとを固設しておき、アンビルロール２０とダイロール２１の間に段ボールシートＳを送り込んで切刃２４により所定形状に打ち抜くと共に、押罫部材Ｐにより段ボールシートＳに罫入れ加工を施すものである。
【００４９】
この押罫部材Ｐは、図９（Ａ）及び（Ｂ）に示すように、金属製の帯板１４が抜型２２の湾曲した基板部材２３の形状に対応して、側面視で円弧状に湾曲し、その外周をなす端縁部に、上記のような押罫部１０を形成したものとされている。この帯板１４は、基板部材２３に埋め込まれる内周側に複数のスリット２５を入れることにより、外周が円弧状となるように曲げられている。
【００５０】
また、押罫部材Ｐは、上記各実施形態のような構成に加えて、図１０に罫入ロールについて図示するように、押罫部１０の幅方向中央の凸条１１の両側に、それぞれ中央の凸条１１に交差する方向に延びる複数の交差溝１３が押罫部１０の長さ方向に間隔をあけて設けられ、この交差溝１３によって、中央の凸条１１の両側に配置された凸条１１が分断されているものとしてもよい。
【００５１】
このような交差溝１３を備えた押罫部材Ｐを使用すると、図１１に示すようなフォルダグルアの罫入ユニット５３における罫入れ加工で段ボールシートＳを押圧する際、段ボールシートＳの表面の交差溝１３へ入り込んだ部分が押罫部１０の幅方向の中央側へ寄せられて、中央の凸条１１で強く押し潰されるので、段ボールシートＳを折り曲げて段ボール箱Ｂを製造する際、罫線における折曲位置の精度がさらに向上し、段ボール箱Ｂの不良発生率を著しく低減することができる。
【００５２】
なお、押罫部１０の幅方向中央の凸条１１を挟んだ両側の交差溝１３は、中央の凸条１１の長さ方向における位置が揃っている必要はなく、千鳥状にずれていてもよい。また、交差溝１３が中央の凸条１１に対して傾斜したものを例示しているが、交差溝１３は、中央の凸条１１に対して直交する方向に延びるものであってもよい。
【００５３】
上記各実施形態に示した押罫部材Ｐは、特に、厚さが１ｍｍ程度から１０ｍｍ程度で波状に形成された中しん紙を有する段ボールシートＳに対して有効に適用できるほか、板紙のシートにも適用できるが、これらの押罫部材Ｐは、製造に高度な技術や設備を要し、比較的高価なものとなるので、図１３に示すように、フォルダグルアで段ボールシートＳを折り曲げて折畳状態の段ボール箱Ｂを製造する場合、段ボールシートＳを１８０°折り曲げる第２縦罫線ｂ２と第４縦罫線ｂ４についてのみ使用すればよい。
【符号の説明】
【００５４】
１，２  回転軸
３，４  ロール基体
５  弾性体
１０  押罫部
１１  凸条
１２  凹溝
１３  交差溝
１４  帯板
２０  アンビルロール
２１  ダイロール
２２  抜型
２３  基板部材
２４  切刃
２５  スリット
５１  スロッタクリーザ部
５３  罫入ユニット
５３ａ  罫入ロール
５３ｂ  受ロール
Ｂ  段ボール箱
Ｌ  左側部分
Ｐ  押罫部材
Ｒ  右側部分
Ｓ  段ボールシート
ｂ，ｂ１〜ｂ４  罫線
ｇ  溝
ｍ  段目
【要約】
【課題】シートを罫線の一側が固定された状態で折り曲げても、正確な位置で折れ曲がる罫入れ加工が可能な押罫部材を提供する。
【解決手段】シートの表面に当接する押罫部１０を有し、その押罫部１０でシートを押し込んで、シートに折曲用の罫線を入れる押罫部材において、押罫部１０には、罫線の長さ方向に延びる４本以上の凸条１１が設けられ、各凸条１１の頂部が全体として山形状をなすように配置され、そのうち１本の凸条１１が押罫部１０の頂部をなすように配置され、この凸条１１を挟んで他の凸条１１が押罫部１０の幅方向の両側部分に異なる本数となるようにそれぞれ配置されているものとする。
【選択図】図２【図１】
0006054566.tif 000002
【図２】
0006054566.tif 000003
【図３】
0006054566.tif 000004
【図４】
0006054566.tif 000005
【図５】
0006054566.tif 000006
【図６】
0006054566.tif 000007
【図７】
0006054566.tif 000008
【図８】
0006054566.tif 000009
【図９】
0006054566.tif 000010
【図１０】
0006054566.tif 000011
【図１１】
0006054566.tif 000012
【図１２】
0006054566.tif 000013
【図１３】
0006054566.tif 000014
【図１４】
0006054566.tif 000015
【図１５】
0006054566.tif 000016
【図１６】
0006054566.tif 000017